(57)【要約】【課題】伝送ロスを抑制することが可能なコネクタ付き多心ケーブルを提供する。【解決手段】コネクタ付き多心ケーブル１は、同軸電線対３１〜３４を含む多心ケーブル２と、第一基板１１を含む第一コネクタと、第二基板１３を含む第二コネクタと、を備える。同軸電線対３１が接続された第一パッド４０Ａｆは、第一面１１Ａの第一コネクタピン６０Ａｆに第一回路１２により接続され、同軸電線対３１が接続された第二パッド４０Ａｂは、第二面１３Ｂ側の第二コネクタピン６０Ｂｂに第二回路１４により接続されている。同軸電線対３２が接続された第一パッド４０Ａｆは、第二面１１Ｂの第一コネクタピン６０Ｂｆに第一回路１２により接続され、同軸電線対３２が接続された第二パッド４０Ａｂは、第一面１３Ａ側の第二コネクタピン６０Ａｂに第二回路１４により接続されている。【選択図】図２
2019185980.tif 000002
【特許請求の範囲】
【請求項１】
偶数対の信号線を含む多心ケーブルと、
前記多心ケーブルの一端に接続された第一コネクタと、
前記多心ケーブルの他端に接続された第二コネクタと、を備え、
前記第一コネクタは、前記偶数対の信号線が接続された第一基板を含み、
前記第二コネクタは、前記偶数対の信号線が接続された第二基板を含み、
前記第一基板は、第一回路と、前記第一回路の一端に接続された第一パッドと、前記第一回路の他端に接続された第一コネクタピンと、を有し、
前記第一パッドと前記第一コネクタピンは、前記第一基板の第一面及び第二面に複数設けられ、
前記第二基板は、第二回路と、前記第二回路の一端に接続された第二パッドと、前記第二回路の他端に接続された第二コネクタピンと、を有し、
前記第二パッドと前記第二コネクタピンは、前記第二基板の第一面及び第二面に複数設けられ、
前記偶数対の信号線の一端は、前記第一基板の前記第一面の前記第一パッドに接続され、
前記偶数対の信号線の他端は、前記第二基板の前記第一面及び前記第二面のうち前記第一基板の前記第一面と同一面側の前記第二パッドに接続され、
前記偶数対の信号線における一対が接続された前記第一パッドは、前記第一基板の前記第一面の前記第一コネクタピンに前記第一回路により接続され、
前記偶数対の信号線における前記一対が接続された前記第二パッドは、前記第二基板の前記第一面及び前記第二面のうち前記第一基板の前記第一面と異なる面側の前記第二コネクタピンに前記第二回路により接続され、
前記偶数対の信号線における他の一対が接続された前記第一パッドは、前記第一基板の前記第二面の前記第一コネクタピンに前記第一回路により接続され、
前記偶数対の信号線における前記他の一対が接続された前記第二パッドは、前記第二基板の前記第一面及び前記第二面のうち前記同一面側の前記第二コネクタピンに前記第二回路により接続されている、コネクタ付き多心ケーブル。
【請求項２】
前記第一基板及び前記第二基板は、それぞれ、複数の層を有し、
前記第一回路は、前記第一基板の前記複数の層にわたって形成され、
前記第二回路は、前記第二基板の前記複数の層にわたって形成されている、請求項１に記載のコネクタ付き多心ケーブル。
【請求項３】
前記第一基板の前記第一面の前記第一パッドは、前記第一基板の前記第一面の第一方向に一列に並列され、
前記第二基板の前記第一面及び前記第二面のうち前記同一面側の前記第二パッドは、前記第一方向を基準に前記第一パッドの位置と鏡面対称となる前記第二基板の前記同一面側の位置に一列に並列され、
前記偶数対の信号線のうち前記一対が接続された前記第一パッドの前記第一面における前記第一方向の位置と、前記一対が接続された第二パッドの前記同一面側における前記第一方向の位置は、同一であり、
前記偶数対の信号線のうち前記他の一対が接続された前記第一パッドの前記第一面における前記第一方向の位置と、前記他の一対が接続された第二パッドの前記同一面側における前記第一方向の位置は、同一である、
請求項１または請求項２に記載のコネクタ付き多心ケーブル。
【請求項４】
前記第一基板の前記第一面の前記第一パッドは、前記第一基板の前記第一面の第一方向に一列に並列され、
前記第二基板の前記第一面及び前記第二面のうち前記同一面側の前記第二パッドは、前記第一方向を基準に前記第一パッドの位置と鏡面対称となる前記第二基板の前記同一面側の位置に一列に並列され、
前記偶数対の信号線のうち前記一対が接続された前記第一パッドの前記第一面における前記第一方向の位置と、前記一対が接続された第二パッドの前記同一面側における前記第一方向の位置は、異なり、
前記偶数対の信号線のうち前記他の一対が接続された前記第一パッドの前記第一面における前記第一方向の位置と、前記他の一対が接続された第二パッドの前記同一面側における前記第一方向の位置は、異なり、
前記偶数対の信号線は、各対の信号線同士が、前記第一基板及び前記第二基板において前記第一方向で逆の位置となるように前記第一パッド及び前記第二パッドに接続されている、
請求項１または請求項２に記載のコネクタ付き多心ケーブル。
【発明の詳細な説明】
【技術分野】
【０００１】
本発明は、コネクタ付き多心ケーブルに関する。
【背景技術】
【０００２】
特許文献１には、高速信号線を含むケーブルと、ケーブルの両端にそれぞれ接続されたコネクタとを含むコネクタ付き多心ケーブルが開示されている（特許文献１参照）。
【先行技術文献】
【特許文献】
【０００３】
【特許文献１】特開２０１７−６９１５２号公報
【発明の概要】
【発明が解決しようとする課題】
【０００４】
コネクタ付き多心ケーブルは、２０Ｇｂｐｓなどの非常に高速な通信に用いる際に、コネクタ付き多心ケーブルに含まれる偶数対の信号線同士において伝送ロスを抑制するために改善の余地があった。
【０００５】
本発明は、伝送ロスを抑制することが可能なコネクタ付き多心ケーブルを提供することを目的とする。
【課題を解決するための手段】
【０００６】
上記の目的を達成するために、本発明の一態様に係るコネクタ付き多心ケーブルは、
偶数対の信号線を含む多心ケーブルと、
前記多心ケーブルの一端に接続された第一コネクタと、
前記多心ケーブルの他端に接続された第二コネクタと、を備え、
前記第一コネクタは、前記偶数対の信号線が接続された第一基板を含み、
前記第二コネクタは、前記偶数対の信号線が接続された第二基板を含み、
前記第一基板は、第一回路と、前記第一回路の一端に接続された第一パッドと、前記第一回路の他端に接続された第一コネクタピンと、を有し、
前記第一パッドと前記第一コネクタピンは、前記第一基板の第一面及び第二面に複数設けられ、
前記第二基板は、第二回路と、前記第二回路の一端に接続された第二パッドと、前記第二回路の他端に接続された第二コネクタピンと、を有し、
前記第二パッドと前記第二コネクタピンは、前記第二基板の第一面及び第二面に複数設けられ、
前記偶数対の信号線の一端は、前記第一基板の前記第一面の前記第一パッドに接続され、
前記偶数対の信号線の他端は、前記第二基板の前記第一面及び前記第二面のうち前記第一基板の前記第一面と同一面側の前記第二パッドに接続され、
前記偶数対の信号線における一対が接続された前記第一パッドは、前記第一基板の前記第一面の前記第一コネクタピンに前記第一回路により接続され、
前記偶数対の信号線における前記一対が接続された前記第二パッドは、前記第二基板の前記第一面及び前記第二面のうち前記第一基板の前記第一面と異なる面側の前記第二コネクタピンに前記第二回路により接続され、
前記偶数対の信号線における他の一対が接続された前記第一パッドは、前記第一基板の前記第二面の前記第一コネクタピンに前記第一回路により接続され、
前記偶数対の信号線における前記他の一対が接続された前記第二パッドは、前記第二基板の前記第一面及び前記第二面のうち前記同一面側の前記第二コネクタピンに前記第二回路により接続されている。
【発明の効果】
【０００７】
本発明によれば、コネクタ付き多心ケーブルに含まれる偶数対の信号線同士において伝送ロスを抑制することが可能なコネクタ付き多心ケーブルを提供することができる。
【図面の簡単な説明】
【０００８】
【図１】本発明の第一実施形態に係るコネクタ付き多心ケーブルの概要を示す斜視図である。
【図２】コネクタ付き多心ケーブル内の電気的接続を示す模式図である。
【図３】第一基板及び第二基板の層構造を示す断面模式図である。
【図４】本発明の第二実施形態に係るコネクタ付き多心ケーブル内の電気的接続を示す模式図である。
【発明を実施するための形態】
【０００９】
＜本発明の実施形態の概要＞
最初に本発明の実施形態の概要を説明する。
（１）本実施形態の一態様に係るコネクタ付き多心ケーブルは、
偶数対の信号線を含む多心ケーブルと、
前記多心ケーブルの一端に接続された第一コネクタと、
前記多心ケーブルの他端に接続された第二コネクタと、を備え、
前記第一コネクタは、前記偶数対の信号線が接続された第一基板を含み、
前記第二コネクタは、前記偶数対の信号線が接続された第二基板を含み、
前記第一基板は、第一回路と、前記第一回路の一端に接続された第一パッドと、前記第一回路の他端に接続された第一コネクタピンと、を有し、
前記第一パッドと前記第一コネクタピンは、前記第一基板の第一面及び第二面に複数設けられ、
前記第二基板は、第二回路と、前記第二回路の一端に接続された第二パッドと、前記第二回路の他端に接続された第二コネクタピンと、を有し、
前記第二パッドと前記第二コネクタピンは、前記第二基板の第一面及び第二面に複数設けられ、
前記偶数対の信号線の一端は、前記第一基板の前記第一面の前記第一パッドに接続され、
前記偶数対の信号線の他端は、前記第二基板の前記第一面及び前記第二面のうち前記第一基板の前記第一面と同一面側の前記第二パッドに接続され、
前記偶数対の信号線における一対が接続された前記第一パッドは、前記第一基板の前記第一面の前記第一コネクタピンに前記第一回路により接続され、
前記偶数対の信号線における前記一対が接続された前記第二パッドは、前記第二基板の前記第一面及び前記第二面のうち前記第一基板の前記第一面と異なる面側の前記第二コネクタピンに前記第二回路により接続され、
前記偶数対の信号線における他の一対が接続された前記第一パッドは、前記第一基板の前記第二面の前記第一コネクタピンに前記第一回路により接続され、
前記偶数対の信号線における前記他の一対が接続された前記第二パッドは、前記第二基板の前記第一面及び前記第二面のうち前記同一面側の前記第二コネクタピンに前記第二回路により接続されている。
【００１０】
上記構成のコネクタ付き多心ケーブルによれば、偶数対の信号線における一対が接続された第一回路及び第二回路の回路長と偶数対の信号線における他の一対が接続された第一回路及び第二回路の回路長との差を小さくすることができ、伝送ロスを抑制することができる。
【００１１】
（２）また、上記の（１）のコネクタ付き多心ケーブルにおいて、
前記第一基板及び前記第二基板は、それぞれ、複数の層を有し、
前記第一回路は、前記第一基板の前記複数の層にわたって形成され、
前記第二回路は、前記第二基板の前記複数の層にわたって形成されていてもよい。
【００１２】
この構成によれば、第一回路は第一基板の複数の層にわたって形成され、第二回路は第二基板の複数の層にわたって形成されている。このため、回路設計において、偶数対の信号線における一対が接続された第一回路及び第二回路の回路長と偶数対の信号線における他の一対が接続された第一回路及び第二回路の回路長との差を小さくし易い。
【００１３】
（３）また、上記の（１）または（２）のコネクタ付き多心ケーブルにおいて、
前記第一基板の前記第一面の前記第一パッドは、前記第一基板の前記第一面の第一方向に一列に並列され、
前記第二基板の前記第一面及び前記第二面のうち前記同一面側の前記第二パッドは、前記第一方向を基準に前記第一パッドの位置と鏡面対称となる前記第二基板の前記同一面側の位置に一列に並列され、
前記偶数対の信号線のうち前記一対が接続された前記第一パッドの前記第一面における前記第一方向の位置と、前記一対が接続された第二パッドの前記同一面側における前記第一方向の位置は、同一であり、
前記偶数対の信号線のうち前記他の一対が接続された前記第一パッドの前記第一面における前記第一方向の位置と、前記他の一対が接続された第二パッドの前記同一面側における前記第一方向の位置は、同一であってもよい。
【００１４】
この構成によれば、多心ケーブルに含まれる偶数対の信号線を輻輳させずに第一基板の第一パッドと第二基板の第二パッドとを接続することができ、接続作業をしやすくなる。
【００１５】
（４）また、上記の（１）または（２）のいずれかに記載のコネクタ付き多心ケーブルにおいて、
前記第一基板の前記第一面の前記第一パッドは、前記第一基板の前記第一面の第一方向に一列に並列され、
前記第二基板の前記第一面及び前記第二面のうち前記同一面側の前記第二パッドは、前記第一方向を基準に前記第一パッドの位置と鏡面対称となる前記第二基板の前記同一面側の位置に一列に並列され、
前記偶数対の信号線のうち前記一対が接続された前記第一パッドの前記第一面における前記第一方向の位置と、前記一対が接続された第二パッドの前記同一面側における前記第一方向の位置は、異なり、
前記偶数対の信号線のうち前記他の一対が接続された前記第一パッドの前記第一面における前記第一方向の位置と、前記他の一対が接続された第二パッドの前記同一面側における前記第一方向の位置は、異なり、
前記偶数対の信号線は、各対の信号線同士が、前記第一基板及び前記第二基板において前記第一方向で逆の位置となるように前記第一パッド及び前記第二パッドに接続されていてもよい。
【００１６】
この構成においても、偶数対の信号線における一対が接続された第一回路及び第二回路の回路長と偶数対の信号線における他の一対が接続された第一回路及び第二回路の回路長との差を小さくすることができ、伝送ロスを抑制することができる。
【００１７】
＜本発明の実施形態の詳細＞
以下、本発明の実施形態に係るコネクタ付き多心ケーブルの実施形態の一例について、図面を参照して詳細に説明する。なお、本発明はこれらの例示に限定されるものではなく、特許請求の範囲によって示され、特許請求の範囲と均等の意味および範囲内でのすべての変更が含まれることが意図される。
【００１８】
＜第一実施形態＞
図１は、第一実施形態に係るコネクタ付き多心ケーブル１の概要を示す斜視図である。本実施形態に係るコネクタ付き多心ケーブル１は、例えば、電子機器（図示省略）同士を接続するケーブルとして用いることができる。なお、図１に示すＵ、Ｄ、Ｆ、Ｂ、Ｒ、Ｌはコネクタ付き多心ケーブル１における方向を示すものであり、Ｕは上方、Ｄは下方、Ｆは前方、Ｂは後方、Ｒは右方、Ｌは左方である。
【００１９】
コネクタ付き多心ケーブル１は、図１に示すように、多心ケーブル２と第一コネクタ３と第二コネクタ４とを有している。第一コネクタ３は、多心ケーブル２の前方Ｆ側の端部（一端の一例）に取り付けられている。第二コネクタ４は、多心ケーブル２の後方Ｂ側の端部（他端の一例）に取り付けられている。
【００２０】
コネクタ付き多心ケーブル１は、第一コネクタ３の前方Ｆ及び第二コネクタ４の後方Ｂに、電子機器のレセプタクル（不図示）と接続されるコネクタプラグ５を有している。コネクタプラグ５の筐体として、略長円筒状の金属シェル５ａが設けられている。金属シェル５ａの内部には、ピン保持板５ｂが収容されている。ピン保持板５ｂは、電子機器のレセプタクル（不図示）と接続されるコンタクトピン５ｃを保持する部材である。コンタクトピン５ｃは、第一コネクタ３及び第二コネクタ４の左方Ｌ、右方Ｒ、上方Ｕ及び下方Ｄの向きを逆にしても電子機器のレセプタクルに接続可能な配列となるように、ピン保持板５ｂに保持されている。
【００２１】
第一コネクタ３は、その内部に、多心ケーブル２が接続された第一基板１１を含んでいる。第一基板１１は、第一面１１Ａ及び第二面１１Ｂを有している。本例では、第一面１１Ａは第一基板１１の上方Ｕ側の面であり、第二面１１Ｂは第一基板１１の下方Ｄ側の面である。
第一基板１１は、第一回路１２と、第一回路１２の後方Ｂ側の端部（一端の一例）に接続されたパッド４０と、第一回路１２の前方Ｆ側の端部（他端の一例）に接続されたコネクタピン６０とを有している。パッド４０とコネクタピン６０は、第一基板１１の第一面１１Ａ及び第二面１１Ｂに複数設けられている。
【００２２】
第二コネクタ４は、その内部に、多心ケーブル２が接続された第二基板１３を含んでいる。第二基板１３は、第一面１３Ａ及び第二面１３Ｂを有している。本例では、第一面１３Ａは第二基板１３の上方Ｕ側の面であり、第二面１３Ｂは第二基板１３の下方Ｄ側の面である。
第二基板１３は、第二回路１４と、第二回路１４の前方Ｆ側の端部（一端の一例）に接続されたパッド４０と、第二回路１４の後方Ｂ側の端部（他端の一例）に接続されたコネクタピン６０とを有している。パッド４０とコネクタピン６０は、第二基板１３の第一面１３Ａ及び第二面１３Ｂに複数設けられている。
【００２３】
図２は、コネクタ付き多心ケーブル１内の電気的接続を示す模式図である。図２に示すように、多心ケーブル２は、高速の信号線である同軸電線対３１〜３４とそれ以外の電線３５とを含んでいる。図２において、同軸電線対３１〜３４は、電線３５よりも太い線で示されている。各同軸電線対３１〜３４は、高速の差動信号を伝送するために、２本一対で構成されている。同軸電線対３１〜３４を構成する同軸電線は、中心から外側へ順に、中心導体と、絶縁層と、外部導体と、外被とを有する。電線３５は、例えば、給電用電線、低速伝送用信号線、通信制御用信号線などである。電線３５は、中心導体と外被とを有する絶縁電線により構成されている。
【００２４】
図２に、コネクタ付き多心ケーブル１の上方Ｕ側から見た第一基板１１の上面（第一面１１Ａ）び第二基板１３の上面（第一面１３Ａ）が示されている。第一基板１１の下面（第二面１１Ｂ）及び第二基板１３の下面（第二面１３Ｂ）については、上方Ｕ側から透視した状態を上面（第一面１１Ａ、１３Ａ）と並べて図示している。第一基板１１及び第二基板１３は略平板状に形成されている。
【００２５】
第一基板１１に複数設けられたパッド４０は、第一面１１Ａに設けられた第一パッド４０Ａｆと、第二面１１Ｂに設けられた第一パッド４０Ｂｆとを有している。第一パッド４０Ａｆは、第一面１１Ａの左方Ｌから右方Ｒに向けて順に、ＲＬ方向（第一方向の一例）の位置４１〜４８に一列に並列されて設けられている。第一パッド４０Ｂｆは、第二面１１Ｂの右方Ｒから左方Ｌに向けて順に、ＲＬ方向の位置４９〜５６に一列に並列されて設けられている。
【００２６】
第一基板１１に複数設けられたコネクタピン６０は、第一面１１Ａに設けられた第一コネクタピン６０Ａｆと、第二面１１Ｂに設けられた第一コネクタピン６０Ｂｆとを有している。第一コネクタピン６０Ａｆは、第一面１１Ａの左方Ｌから右方Ｒに向けて順に、第一面１１ＡのＲＬ方向の位置Ａ１〜Ａ１２に一列に設けられている。第一コネクタピン６０Ｂｆは、第二面１１Ｂの右方Ｒから左方Ｌに向けて順に、第二面１１Ｂの位置Ｂ１〜Ｂ１２に一列に並列されて設けられている。
【００２７】
第一パッド４０Ａｆ、４０Ｂｆは、同軸電線対３１〜３４及び電線３５の前方Ｆ側の端部（一端の一例）に接続されている。具体的には、同軸電線対３１は、第一面１１Ａの位置４７、４８の第一パッド４０Ａｆに接続されている。同軸電線対３２は、第一面１１Ａの位置４５、４６の第一パッド４０Ａｆに接続されている。同軸電線対３３は、第一面１１Ａの位置４３、４４の第一パッド４０Ａｆに接続されている。同軸電線対３４は、第一面１１Ａの位置４１、４２の第一パッド４０Ａｆに接続されている。
【００２８】
電線３５は、第二面１１Ｂの第一パッド４０Ｂｆに接続されている。具体的には、７本の電線３５が、それぞれ、位置４９、５１〜５６の第一パッド４０Ｂｆに接続されている。
【００２９】
第一パッド４０Ａｆは、第一回路１２により、第一基板１１の第一コネクタピン６０Ａｆ、６０Ｂｆに接続されている。具体的には、位置４８の第一パッド４０Ａｆは、第一面１１Ａの位置Ａ１１の第一コネクタピン６０Ａｆに接続されている。位置４７の第一パッド４０Ａｆは、第一面１１Ａの位置Ａ１０の第一コネクタピン６０Ａｆに接続されている。位置４６の第一パッド４０Ａｆは、第二面１１Ｂの位置Ｂ１０の第一コネクタピン６０Ｂｆに接続されている。位置４５の第一パッド４０Ａｆは、第二面１１Ｂの位置Ｂ１１の第一コネクタピン６０Ｂｆに接続されている。位置４４の第一パッド４０Ａｆは、第二面１１Ｂの位置Ｂ２の第一コネクタピン６０Ｂｆに接続されている。位置４３の第一パッド４０Ａｆは、第二面１１Ｂの位置Ｂ３の第一コネクタピン６０Ｂｆに接続されている。位置４２の第一パッド４０Ａｆは、第一面１１Ａの位置Ａ３の第一コネクタピン６０Ａｆに接続されている。位置４１の第一パッド４０Ａｆは、第一面１１Ａの位置Ａ２の第一コネクタピン６０Ａｆに接続されている。
【００３０】
第一パッド４０Ｂｆは、第一回路１２により、第一基板１１の第一コネクタピン６０Ａｆ、６０Ｂｆに接続されている。具体的には、位置４９、５６の第一パッド４０Ｂｆは、第一面１１Ａの位置Ａ４、Ａ９の第一コネクタピン６０Ａｆ及び第二面１１Ｂの位置Ｂ４、Ｂ９の第一コネクタピン６０Ｂｆに接続されている。位置５０の第一パッド４０Ｂｆは、位置Ｂ５の第一コネクタピン６０Ｂｆに接続されている。位置５１の第一パッド４０Ｂｆは、位置Ａ８の第一コネクタピン６０Ａｆに接続されている。位置５２の第一パッド４０Ｂｆは、位置Ａ５の第一コネクタピン６０Ａｆに接続されている。位置５３の第一パッド４０Ｂｆは、位置Ｂ８の第一コネクタピン６０Ｂｆに接続されている。位置５４の第一パッド４０Ｂｆは、位置Ａ７の第一コネクタピン６０Ａｆに接続されている。位置５５の第一パッド４０Ｂｆは、位置Ａ６の第一コネクタピン６０Ａｆに接続されている。
【００３１】
第二基板１３に複数設けられたパッド４０は、第一面１３Ａに設けられた第二パッド４０Ａｂと、第二面１３Ｂに設けられた第二パッド４０Ｂｂとを有している。
第二パッド４０Ａｂは、第一面１３Ａの左方Ｌから右方Ｒに向けて順に、第一面１３ＡのＲＬ方向（第一方向の一例）の位置４１〜４８に一列に並列されて設けられている。第二パッド４０Ａｂの位置４１〜４８は、第一面１１ＡのＲＬ方向（第一方向の一例）を基準に、第一パッド４０Ａｆの位置４１〜４８と鏡面対称となるように設けられている。
第二パッド４０Ｂｂは、第二面１３Ｂの右方Ｒから左方Ｌに向けて順に、第二面１３ＢのＲＬ方向の位置４９〜５６に一列に並列されて設けられている。第二パッド４０Ｂｂの位置４９〜５６は、第二面１１ＢのＲＬ方向（第一方向の一例）を基準に、第一パッド４０Ｂｆの位置４９〜５６と鏡面対称となるように設けられている。
【００３２】
第二基板１３に複数設けられたコネクタピン６０は、第一面１３Ａに設けられた第二コネクタピン６０Ａｂと、第二面１３Ｂに設けられた第二コネクタピン６０Ｂｂとを有している。第二コネクタピン６０Ａｂは、第一面１３Ａの右方Ｒから左方Ｌに向けて順に、第一面１３ＡのＲＬ方向の位置Ａ１〜Ａ１２に一列に設けられている。第二コネクタピン６０Ｂｂは、第二面１３Ｂの左方Ｌから右方Ｒに向けて順に、第二面１３Ｂの位置Ｂ１〜Ｂ１２に一列に並列されて設けられている。
【００３３】
第二パッド４０Ａｂ、４０Ｂｂは、同軸電線対３１〜３４及び電線３５の後方Ｂ側の端部（他端の一例）に接続されている。具体的には、同軸電線対３１は、第二基板１３の第一面１３Ａの第二パッド４０Ａｂの位置４７、４８に接続されている。同軸電線対３２は、第一面１３Ａの第二パッド４０Ａｂの位置４５、４６に接続されている。同軸電線対３３は、第一面１３Ａの第二パッド４０Ａｂの位置４３、４４に接続されている。同軸電線対３４は、第一面１３Ａの第二パッド４０Ａｂの位置４１、４２に接続されている。
【００３４】
電線３５は、第二基板１３の第二面１３Ｂの第二パッド４０Ｂｂに接続されている。具体的には、７本の電線３５が、それぞれ、第二パッド４０Ｂｂの位置４９、５１〜５６に接続されている。
【００３５】
第二パッド４０Ａｂは、第二回路１４により、第二基板１３の第二コネクタピン６０Ａｂ、６０Ｂｂに接続されている。具体的には、位置４８の第二パッド４０Ａｂは、第二面１３Ｂの位置Ｂ２の第二コネクタピン６０Ｂｂに接続されている。位置４７の第二パッド４０Ａｂは、位置Ｂ３の第二コネクタピン６０Ｂｂに接続されている。位置４６の第二パッド４０Ａｂは、位置Ａ３の第二コネクタピン６０Ａｂに接続されている。位置４５の第二パッド４０Ａｂは、位置Ａ２の第二コネクタピン６０Ａｂに接続されている。位置４４の第二パッド４０Ａｂは、位置Ａ１１の第二コネクタピン６０Ａｂに接続されている。位置４３の第二パッド４０Ａｂは、位置Ａ１０の第二コネクタピン６０Ａｂに接続されている。位置４２の第二パッド４０Ａｂは、位置Ｂ１０の第二コネクタピン６０Ｂｂに接続されている。位置４１の第二パッド４０Ａｂは、位置Ｂ１１の第二コネクタピン６０Ｂｂに接続されている。
【００３６】
第二パッド４０Ｂｂは、第二回路１４により、第二基板１３の第二コネクタピン６０Ａｂ、６０Ｂｂに接続されている。具体的には、位置４９、５６の第二パッド４０Ｂｂは、第一面１３Ａの位置Ａ４、Ａ９の第二コネクタピン６０Ａｂ及び第二面１３Ｂの位置Ｂ４、Ｂ９の第二コネクタピン６０Ｂｂに接続されている。位置５０の第二パッド４０Ｂｂは、位置Ｂ５の第二コネクタピン６０Ｂｂに接続されている。位置５１の第二パッド４０Ｂｂは、位置Ｂ８の第二コネクタピン６０Ｂｂに接続されている。位置５２の第二パッド４０Ｂｂは、位置Ａ５の第二コネクタピン６０Ａｂに接続されている。位置５３の第二パッド４０Ｂｂは、位置Ａ８の第二コネクタピン６０Ａｂに接続されている。位置５４の第二パッド４０Ｂｂは、位置Ａ７の第二コネクタピン６０Ａｂに接続されている。位置５５の第二パッド４０Ｂｂは、位置Ａ６の第二コネクタピン６０Ａｂに接続されている。
【００３７】
同軸電線対３１〜３４が接続された第二パッド４０Ａｂは、第一面１３Ａに設けられている。この第一面１３Ａは、第二基板１３の第一面１３Ａ及び第二面１３Ｂのうち、図２における第一基板１１の第一面１１Ａと同一面側の面である。ここで、「同一面側の面」とは、図１に示したコネクタ付き多心ケーブル１の方向（図１の上下方向）が同一である面同士をいう。なお、コネクタ付き多心ケーブル１の方向は、コネクタ付き多心ケーブル１を負荷無く一平面上に配置したときの向きを基準とする。
【００３８】
偶数対の信号線における一対である同軸電線対３１が接続された第一パッド４０Ａｆの第一面１１ＡにおけるＲＬ方向の位置４７、４８は、同軸電線対３１が接続された第二パッド４０ＡｂのＲＬ方向の位置４７、４８と同一である。
偶数対の信号線における他の一対である同軸電線対３２が接続された第一パッド４０Ａｆの第一面１１ＡにおけるＲＬ方向の位置４５、４６は、同軸電線対３２が接続された第二パッド４０ＡｂのＲＬ方向の位置４５、４６と同一である。
【００３９】
偶数対の信号線における他の一対である同軸電線対３３が接続された第一パッド４０Ａｆの第一面１１ＡにおけるＲＬ方向の位置４３、４４は、同軸電線対３３が接続された第二パッド４０ＡｂのＲＬ方向の位置４３、４４と同一である。
偶数対の信号線における一対である同軸電線対３４が接続された第一パッド４０Ａｆの第一面１１ＡにおけるＲＬ方向の位置４１、４２は、同軸電線対３４が接続された第二パッド４０ＡｂのＲＬ方向の位置４１、４２と同一である。
【００４０】
同軸電線対３１が接続された位置４７、４８の第二パッド４０Ａｂは、第二回路１４により、第二面１３Ｂの位置Ｂ２、Ｂ３の第二コネクタピン６０Ｂｂに接続されている。位置Ｂ２、Ｂ３の第二コネクタピン６０Ｂｂが設けられた第二面１３Ｂは、第二基板１３の第一面１３Ａ及び第二面１３Ｂのうち、同軸電線対３１が接続された第一パッド４０Ａｆが設けられた第一基板１１の第一面１１Ａとは異なる面側の面である。
【００４１】
同軸電線対３２が接続された位置４５、４６の第二パッド４０Ａｂは、第二回路１４により、第一面１３Ａの位置Ａ２、Ａ３の第二コネクタピン６０Ａｂに接続されている。位置Ａ２、Ａ３の第二コネクタピン６０Ａｂが設けられた第一面１３Ａは、第二基板１３の第一面１３Ａ及び第二面１３Ｂのうち、第一基板１１の第一面１１Ａと同一面側の面である。
【００４２】
同軸電線対３３が接続された位置４３、４４の第二パッド４０Ａｂは、第二回路１４により、第一面１３Ａの位置Ａ１０、Ａ１１の第二コネクタピン６０Ａｂに接続されている。位置Ａ１０、Ａ１１の第二コネクタピン６０Ａｂが設けられた第一面１３Ａは、第二基板１３の第一面１３Ａ及び第二面１３Ｂのうち、第一基板１１の第一面１１Ａと同一面側の面である。
【００４３】
同軸電線対３４が接続された位置４１、４２の第二パッド４０Ａｂは、第二回路１４により、第二面１３Ｂの位置Ｂ１０、Ｂ１１の第二コネクタピン６０Ｂｂに接続されている。位置Ｂ１０、Ｂ１１の第二コネクタピン６０Ｂｂが設けられた第二面１３Ｂは、第二基板１３の第一面１３Ａ及び第二面１３Ｂのうち、第一基板１１の第一面１１Ａと異なる面側の面である。
【００４４】
第一基板１１は、複数の層を有している。図３は、第一基板１１及び第二基板１３の層構造を示す断面模式図である。第一基板１１は、第一回路１２が平面状に形成された層として、第一層１５、第二層１６、第三層１７、第四層１８の四層を含んで構成されている。第一層１５、第二層１６、第三層１７、第四層１８の層間は、スルーホール等により電気的に接続されている。第一層１５は第一面１１Ａに含まれ、第四層１８は第二面１１Ｂに含まれている。
【００４５】
第一回路１２は、第一基板１１の第一層１５、第二層１６、第三層１７、第四層１８にわたって形成されている。
同軸電線対３１が接続された第一層１５の第一パッド４０Ａｆ（図２の位置４７、４８）は、第一回路１２における第一層１５、第二層１６、第一層１５（図３の実線の矢印）を経て、第一コネクタピン６０Ａｆ（図２の位置Ａ１０、Ａ１１）に接続されている。
同軸電線対３２が接続された第一パッド４０Ａｆ（図２の位置４５、４６）は、第一回路１２における第一層１５、第二層１６、第三層１７、第四層１８（図３の破線の矢印）を経て、第一コネクタピン６０Ｂｆ（図２の位置Ｂ１０、Ｂ１１）に接続されている。
【００４６】
同軸電線対３３が接続された第一パッド４０Ａｆ（図２の位置４３、４４）も、同軸電線対３２が接続された第一パッド４０Ａｆと同様に、第一回路１２における第一層１５、第二層１６、第三層１７、第四層１８を経て、第一コネクタピン６０Ｂｆ（図２の位置Ｂ２、Ｂ３）に接続されている。同軸電線対３４が接続された第一パッド４０Ａｆ（図２の位置４１、４２）も、同軸電線対３１が接続された第一パッド４０Ａｆと同様に、第一回路１２における第一層１５、第二層１６、第一層１５を経て、第一コネクタピン６０Ａｆ（図２の位置Ａ２、Ａ３）に接続されている。
【００４７】
第二基板１３は、複数の層を有している。第二基板１３は、第二回路１４が平面状に形成された層として、第一層１９、第二層２０、第三層２１、第四層２２の四層を含んで構成されている。第一層１９、第二層２０、第三層２１、第四層２２の層間は、スルーホール等により電気的に接続されている。第一層１９は第一面１３Ａに含まれ、第四層２２は第二面１３Ｂに含まれている。
【００４８】
第二回路１４は、第二基板１３の第一層１９、第二層２０、第三層２１、第四層２２にわたって形成されている。
同軸電線対３１が接続された第一層１９の第二パッド４０Ａｂ（図２の位置４７、４８）は、第二回路１４における第一層１９、第二層２０、第三層２１、第四層２２（図３の実線の矢印）を経て、第二コネクタピン６０Ｂｂ（図２の位置Ｂ２、Ｂ３）に接続されている。
同軸電線対３２が接続された第二パッド４０Ａｂ（図２の位置４５、４６）は、第二回路１４における第一層１９、第二層２０、第一層１９（図３の破線の矢印）を経て、第二コネクタピン６０Ａｂ（図２の位置Ａ２、Ａ３）に接続されている。
【００４９】
同軸電線対３３が接続された第二パッド４０Ａｂ（図２の位置４３、４４）も、同軸電線対３２が接続された第二パッド４０Ａｂと同様に、第二回路１４における第一層１９、第二層２０、第一層１９を経て、第二コネクタピン６０Ａｂ（図２の位置Ａ１０、Ａ１１）に接続されている。
同軸電線対３４が接続された第二パッド４０Ａｂ（図２の位置４１、４２）も、同軸電線対３１が接続された第二パッド４０Ａｂと同様に、第二回路１４における第一層１９、第二層２０、第三層２１、第四層２２を経て、第二コネクタピン６０Ｂｂ（図２の位置Ｂ１０、Ｂ１１）に接続されている。
【００５０】
なお、第一基板１１及び第二基板１３の層構造は、上記した層数に限らない。第一基板１１及び第二基板１３は、第一回路１２、第二回路１４の回路構成に適する任意の層数で形成することができる。
【００５１】
ところで、コネクタ付き多心ケーブルは、２０Ｇｂｐｓなどの非常に高速な通信に用いる際に、コネクタ付き多心ケーブルに含まれる偶数対の信号線同士において伝送ロスを抑制するために改善の余地があった。
【００５２】
これに対して、本実施形態のコネクタ付き多心ケーブル１によれば、偶数対の同軸電線対３１〜３４の一対３１は、前方Ｆ側で、第一基板１１の第一面１１Ａの第一パッド４０Ａｆに接続され、この第一パッド４０Ａｆは第一回路１２を介して第一面１１Ａの第一コネクタピン６０Ａｆに接続されている。また、同軸電線対３１は、後方Ｂ側で、第二基板１３の第一面１３Ａの第二パッド４０Ａｂに接続され、この第二パッド４０Ａｂは第二回路１４を介して第二面１３Ｂの第二コネクタピン６０Ｂｂに接続されている。同軸電線対３１を通る第一コネクタピン６０Ａｆから第二コネクタピン６０Ｂｂまでの第一回路１２及び第二回路１４により、同軸電線対３１の伝送路が形成されている。また、偶数対の同軸電線対３１〜３４の他の一対３２は、前方Ｆ側で、第一基板１１の第一面１１Ａの第一パッド４０Ａｆに接続され、この第一パッド４０Ａｆは第一回路を介して第二面１１Ｂの第一コネクタピン６０Ｂｆに接続されている。また、同軸電線対３２は、後方Ｂ側で、第二基板１３の第一面１３Ａの第二パッド４０Ａｂに接続され、この第二パッド４０Ａｂは第二回路１４を介して第一面１３Ａの第二コネクタピン６０Ａｂに接続されている。同軸電線対３２を通る第一コネクタピン６０Ｂｆから第二コネクタピン６０Ａｂまでの第一回路１２及び第二回路１４により、同軸電線対３２の伝送路が形成されている。本実施形態のコネクタ付き多心ケーブル１におけるこの構成により、同軸電線対３１の伝送路における第一回路１２及び第二回路１４の回路長と同軸電線対３２の伝送路における第一回路１２及び第二回路１４の回路長との差は小さい。同軸電線対３３、３４の伝送路についても、同軸電線対３１、３２の伝送路と同様である。このように、各伝送路における第一回路１２及び第二回路１４の回路長の差を小さくすることができるため、コネクタ付き多心ケーブル１の伝送ロスを抑制することができる。
【００５３】
また、本実施形態のコネクタ付き多心ケーブル１によれば、同軸電線対３１〜３４が接続された第一パッド４０Ａｆは、第一面１１Ａに設けられている。同軸電線対３１〜３４が接続された第二パッド４０Ａｂは、第一面１３Ａ及び第二面１３Ｂのうち第一面１１Ａと同一面側の第一面１３Ａに設けられている。また、第一パッド４０Ａｆは、第一面１１ＡのＲＬ方向の位置４１〜４８に一列に並列されて設けられている。第二パッド４０Ａｂは、第一パッド４０Ａｆの位置４１〜４８と鏡面対称となる第一面１３Ａの位置４１〜４８に一列に並列されて設けられている。同軸電線対３１〜３４が接続された第一パッド４０ＡｆのＲＬ方向の位置４１〜４８と、同軸電線対３１〜３４が接続された第二パッド４０ＡｂのＲＬ方向の位置４１〜４８は同一である。このため、多心ケーブル２に含まれる同軸電線対３１〜３４を輻輳させずに第一パッド４０Ａｆと第二パッド４０Ａｂとを接続することができ、接続作業をしやすくなる。
【００５４】
また、第一回路１２は第一基板１１の複数の層１５〜１８にわたって形成され、第二回路１４は第二基板１３の複数の層１９〜２２にわたって形成されている。このため、回路設計において、偶数対の信号線における一対が接続された第一回路及び第二回路の回路長と偶数対の信号線における他の一対が接続された第一回路及び第二回路の回路長との差を小さくし易い。
【００５５】
＜第二実施形態＞
次に、本発明の第二実施形態について図４を参照して説明する。なお、第一実施形態と同一構成の部分には同一符号を付すことで説明を省略する。図４は、第二実施形態に係るコネクタ付き多心ケーブル１Ａ内の電気的接続を示す模式図ある。
【００５６】
図４に示すように、本例のコネクタ付き多心ケーブル１Ａは、多心ケーブル２の同軸電線対３１〜３４が輻輳された状態で第一パッド４０Ａｆ及び第二パッド４０Ａｂに接続されている点で、第一実施形態と異なっている。
【００５７】
本例では、第二基板１１３は、図４のＲＬ方向（第一方向の一例）を基準に、第一基板１１１の鏡面対称（掌状）となるように形成することができる。なお、図４に示すように、第一基板１１１の第一面１１１ＡのＲＬ方向における第一コネクタピン６０Ａｆの位置Ａ１〜Ａ１２の並列順と、第二基板１１３の第一面１１３ＡのＲＬ方向における第二コネクタピン６０ＡｂのＲＬ方向の位置Ａ１〜Ａ１２の並列順は、鏡面対称ではない。また、第一基板１１１の第二面１１１ＢのＲＬ方向における第一コネクタピン６０Ｂｆの位置Ｂ１〜Ｂ１２の並列順と、第二基板１１３の第二面１１３ＢのＲＬ方向における第二コネクタピン６０ＢｂのＲＬ方向の位置Ｂ１〜Ｂ１２の並列順は、鏡面対称ではない。第二コネクタピン６０Ａｂ、６０Ｂｂの配列順（位置Ａ１〜Ａ１２、Ｂ１〜Ｂ１２）は、ＲＬ方向において、第一コネクタピン６０Ａｆ、６０Ｂｆの配列順（位置Ａ１〜Ａ１２、Ｂ１〜Ｂ１２）と逆となっている。
また、第二回路１１４は、ＲＬ方向を基準に、第一回路１１２の鏡面対称となるように形成することができる。具体的には、第一面１１１Ａの位置Ａ１０、Ａ１１の第一コネクタピン６０Ａｆは、第一回路１１２により、第一面１１１Ａの位置４７、４８の第一パッド４０Ａｆに接続されている。位置４７、４８の第一パッド４０Ａｆは、同軸電線対３１のＦ側の端部に接続されている。同軸電線対３１のＢ側の端部に接続された位置４５、４６の第二パッド４０Ａｂは、第二回路１１４により、第二面１１３Ｂの位置Ｂ２、Ｂ３の第二コネクタピン６０Ｂｂに接続されている。また、第二面１１１Ｂの位置Ｂ１０、Ｂ１１の第一コネクタピン６０Ｂｆは、第一回路１１２により、第一面１１１Ａの位置４５、４６の第一パッド４０Ａｆに接続されている。位置４５、４６の第一パッド４０Ａｆは、同軸電線対３２のＦ側の端部に接続されている。同軸電線対３２のＢ側の端部に接続された位置４７、４８の第二パッド４０Ａｂは、第二回路１１４により、第一面１１３Ａの位置Ａ２、Ａ３の第二コネクタピン６０Ａｂに接続されている。また、同軸電線対３３、３４が接続された第二回路１１４についても、同軸電線対３１、３２が接続された第二回路１１４と同様に、第一回路１１２の鏡面対称となるように形成されている。
【００５８】
本例では、同軸電線対３１〜３４の各対が接続された第一パッド４０ＡｆのＲＬ方向の位置４１〜４８と、同軸電線対３１〜３４の各対が接続された第二パッド４０ＡｂのＲＬ方向の位置４１〜４８は、異なっている。同軸電線対３１が接続された第一パッド４０ＡｆのＲＬ方向の位置は位置４７、４８であり、同軸電線対３１が接続された第二パッド４０ＡｂのＲＬ方向の位置は位置４５、４６である。同軸電線対３２が接続された第一パッド４０ＡｆのＲＬ方向の位置は位置４５、４６であり、同軸電線対３２が接続された第二パッド４０ＡｂのＲＬ方向の位置は位置４７、４８である。同軸電線対３３が接続された第一パッド４０ＡｆのＲＬ方向の位置は位置４３、４４であり、同軸電線対３３が接続された第二パッド４０ＡｂのＲＬ方向の位置は位置４１、４２である。同軸電線対３４が接続された第一パッド４０ＡｆのＲＬ方向の位置は位置４１、４２であり、同軸電線対３４が接続された第二パッド４０ＡｂのＲＬ方向の位置は位置４３、４４である。
【００５９】
また、同軸電線対３１〜３４は、各対３１〜３４内の２本の同軸電線同士が、ＲＬ方向で逆の位置となるように、第一パッド４０Ａｆ及び第二パッド４０Ａｂに接続されている。位置４８の第一パッド４０Ａｆに接続された同軸電線対３１内の同軸電線は、位置４５の第二パッド４０Ａｂに接続されている。位置４７の第一パッド４０Ａｆに接続された同軸電線対３１内の同軸電線は、位置４６の第二パッド４０Ａｂに接続されている。位置４１〜４６に接続された同軸電線対３２〜３４内の同軸電線も、同軸電線対３１内の同軸電線と同様に、同軸電線対内の２本の同軸電線がＲＬ方向で逆の位置となるように位置４１〜４４、４７、４８の第二パッド４０Ａｂに接続されている。このように、同軸電線対３１〜３４内のそれぞれ対となる２本の同軸電線は、第一基板１１１に対して交差した状態で第二基板１１３に接続されている。
【００６０】
以上説明したように、第二実施形態に係るコネクタ付き多心ケーブルによれば、偶数対の同軸電線対３１〜３４が接続された第一パッド４０Ａｆの位置４１〜４８は、同軸電線対３１〜３４が接続された第二パッド４０ＡｂのＲＬ方向における位置４８〜４１とは異なる。また、同軸電線対３１〜３４内のそれぞれ対となる２本の同軸電線は、ＲＬ方向で逆の位置となるように第一パッド４０Ａｆ及び第二パッド４０Ａｂに接続されている。このような構成においても、同軸電線対３１の伝送路における第一回路１１２及び第二回路１１４の回路長と同軸電線対３２の伝送路における第一回路１１２及び第二回路１１４の回路長との差は小さい。同軸電線対３３、３４の伝送路についても、同軸電線対３１、３２の伝送路と同様である。このように、各伝送路における第一回路１１２及び第二回路１１４の回路長の差を小さくすることができるため、伝送ロスを抑制することができる。
【００６１】
また、図１及び図４に示すように、前方Ｆ側から見た第一基板１１１の第一面１１１Ａの第一コネクタピン６０Ａｆの位置Ａ１〜Ａ１２の並列順及び第一コネクタピン６０Ｂｆの位置Ｂ１〜Ｂ１２の並列順は、後方Ｂ側から見た第二基板１１３の第一面１１３Ａの第二コネクタピン６０Ａｂの位置Ａ１〜Ａ１２の並列順及び第二面１１３Ｂの第二コネクタピン６０Ｂｂの位置Ｂ１〜Ｂ１２の並列順と、同一である。このように構成することにより、第一コネクタ３及び第二コネクタ４を同一構成のレセプタクルに差し込むことが可能である。
【００６２】
なお、本発明は、上述した実施形態に限定されず、適宜、変形、改良等が自在である。その他、上述した実施形態における各構成要素の材質、形状、寸法、数値、形態、数、配置場所、等は本発明を達成できるものであれば任意であり、限定されない。
【００６３】
上記した第一実施形態及び第二実施形態では、偶数対の信号線として、４対の信号線である同軸電線対３１〜３４を例に説明した。図２に示す第一基板１１の第二面１１Ｂの位置５４に接続されている電線３５と、第二面１１Ｂの位置５５に接続されている電線３５は、絶縁電線を用いた低速伝送用の一対の信号線である。図４に示す第一基板１１１の第二面１１１Ｂの位置５４に接続されている電線３５と、第二面１１１Ｂの位置５５に接続されている電線３５は、絶縁電線を用いた低速伝送用の一対の信号線である。このように、本発明は、同軸電線を用いた偶数対の信号線以外の対となる信号線を含んでいてもよい。
【符号の説明】
【００６４】
１、１Ａ  コネクタ付き多心ケーブル
２  多心ケーブル
３  第一コネクタ
４  第二コネクタ
５  コネクタプラグ
５ａ  金属シェル
５ｂ  ピン保持板
５ｃ  コンタクトピン
１１、１１１  第一基板
１１Ａ  第一面
１１Ｂ  第二面
１２、１１２  第一回路
１３、１１３  第二基板
１３Ａ  第一面
１３Ｂ  第二面
１４、１１４  第二回路
１５  （第一基板の）第一層
１６  （第一基板の）第二層
１７  （第一基板の）第三層
１８  （第一基板の）第四層
１９  （第二基板の）第一層
２０  （第二基板の）第二層
２１  （第二基板の）第三層
２２  （第二基板の）第四層
３１、３２、３３、３４  同軸電線対（高速の信号線）
３５  電線
４０  パッド
４０Ａｆ、４０Ｂｆ  （第一基板の）第一パッド
４０Ａｂ、４０Ｂｂ  （第二基板の）第二パッド
４１、４２、４３、４４、４５、４６、４７、４８、４９、５０、５１、５２、５３、５４、５５、５６  （パッドの）位置
６０  コネクタピン
６０Ａｆ、６０Ｂｆ  （第一基板の）第一コネクタピン
６０Ａｂ、６０Ｂｂ  （第二基板の）第二コネクタピン
Ａ１、Ａ２、Ａ３、Ａ４、Ａ７、Ａ９、Ａ１０、Ａ１１、Ａ１２、Ｂ１、Ｂ２、Ｂ３、Ｂ４、Ｂ５、Ｂ６、Ｂ７、Ｂ８、Ｂ９、Ｂ１０、Ｂ１１、Ｂ１２  （コネクタピンの）位置
Ｕ  上方
Ｄ  下方
Ｆ  前方
Ｂ  後方
Ｌ  左方
Ｒ  右方
【図１】
2019185980.tif 000003
【図２】
2019185980.tif 000004
【図３】
2019185980.tif 000005
【図４】
2019185980.tif 000006